(57)【特許請求の範囲】
【請求項１】
電気回路を内蔵した本体ケーシングと、
前記本体ケーシングに開閉自在に設けられた第１カバーと、
前記第１カバーと異なるカバーであって、前記本体ケーシングに開閉自在に設けられた第２カバーと、
前記電気回路に接続されたスイッチと、
前記第１カバーに設けられ、当該第１カバーが閉位置になったときに前記スイッチを操作することが可能な形状を有する操作部材と、
前記第２カバーの開閉によって移動することが可能であり、前記第２カバーが開いているときには前記第１カバーが閉まらないように当該第１カバーに干渉する第１位置に移動し、前記第２カバーが閉位置にあるときには前記第１カバーと干渉しない第２位置に移動する干渉部材と、
前記干渉部材と前記第２カバーとの間を接続する接続部材と
を備え、
前記干渉部材は、前記第２カバーに向けて突出し、かつ、前記第２カバーが開閉するときに当該第２カバーから前記干渉部材を移動させる力を受ける入力部を有し、
前記接続部材は、前記入力部と前記第２カバーとの間を接続するケーブルであり、
前記第２カバーが開くときに、当該第２カバーに連結された前記ケーブルによって、前記干渉部材は前記第１位置に引き出され、
前記第２カバーが閉じるときに、前記第２カバーが前記入力部を押して前記干渉部材を前記第２位置に戻す
ことを特徴とする画像形成装置。
【請求項２】
前記干渉部材は、前記第１カバーに向けて突出し、かつ、前記干渉部材が前記第１位置にあるときに前記第１カバーに当接する当接部を有している、
請求項１に記載の画像形成装置。
【請求項３】
前記干渉部材は前記本体ケーシングの内面に向けて突出する凸部をさらに備えており、
前記本体ケーシングの内面には、前記凸部を前記第１位置と前記第２位置との間で移動自在に案内するスリットが形成されている、
請求項１または２の記載の画像形成装置。
【請求項４】
前記第１カバーが閉まっているときに前記第２カバーの開動作を規制する規制部材をさらに備えている、
請求項１から３のいずれかに記載の画像形成装置。
【請求項５】
前記規制部材は、前記第１カバーに設けられ、前記第２カバーの端部に係合可能な形状を有する、
請求項４に記載の画像形成装置。
【請求項６】
前記第１カバーが前記本体ケーシングの上面に設けられた上部カバーであり、
前記第２カバーが前記本体ケーシングの前面に設けられた前部カバーである、
請求項１から５のいずれかに記載の画像形成装置。
【請求項７】
前記スイッチは、前記本体ケーシング内部の画像形成のためのユニットへの通電を遮断するインターロックスイッチである、
請求項１から６のいずれかに記載の画像形成装置。
【発明の詳細な説明】
【技術分野】
【０００１】
本発明は、本体ケーシングに開閉自在に設けられた複数のカバーおよびそれらの開閉によって作動するスイッチを備えた画像形成装置に関する。
【背景技術】
【０００２】
従来の画像形成装置では、ジャム処理、トナー補給等を行うために装置本体の上部および前部においてドアカバーが開閉可能に設けられているが、安全性上、ドアカバーが開放されている状態では、画像形成装置の動作が行われないように、画像形成装置への通電を遮断するインターロックスイッチ機構が設けられている。
【０００３】
このカバーの開閉検知は、装置本体の上部および前部におけるドアカバー毎に１つのインターロックスイッチを配置すれば、製造コストが増加するので、１個のインターロックスイッチによって複数のドアカバーの開閉検知を行うための技術が種々提案されている。
【０００４】
例えば、特許文献１記載の画像形成装置は、開閉可能な第１及び第２のカバーと、第１及び第２のカバーにそれぞれ設けられる第１及び第２の突起部材と、第１のカバーの開閉動作による第１の突起部材の接離よって回動し、画像形成装置本体に回動可能に軸支された第１の支持部材と、第２のカバーの開閉動作による第２の突起部材の接離によって回動し、第１の支持部材に回動可能に軸支される第２の支持部材と、第２の支持部材に当接又は連結させて連動するリンク部材とを備えており、第１及び第２のカバーの開閉動作によって、それぞれ独立に、１つのスイッチに電源オン／オフ機能を動作させる構成を有している。
【０００５】
すなわち、上記の構成は、リンク部材を備えているので、２つのカバー開閉状態でリンク部材の位置を変化させ、インターロックスイッチを押したり、離したりする操作が可能であり、これにより、カバー開閉状態を操作部のパネル表示などによってユーザに知らせることが可能である。
【先行技術文献】
【特許文献】
【０００６】
【特許文献１】特開２００２−７２６０１号公報
【発明の概要】
【発明が解決しようとする課題】
【０００７】
しかし、２つのカバーの開閉状態を上記のようなリンク部材を用いて１つのインターロックスイッチをオンオフ動作させる場合、当該リンク部材の部品精度、組付誤差等により検知精度が低下するおそれがある。また、スイッチを操作するための機構が複雑になるため、長期的に使用すれば動作精度が低下するおそれがある。
【０００８】
本発明は上記問題に鑑みてなされたものであり、簡単な機構で、複数のカバーの開閉に連動してスイッチを確実に作動させることが可能な画像形成装置を提供することを目的とする。
【課題を解決するための手段】
【０００９】
本発明の画像形成装置は、電気回路を内蔵した本体ケーシングと、前記本体ケーシングに開閉自在に設けられた第１カバーと、前記第１カバーと異なるカバーであって、前記本体ケーシングに開閉自在に設けられた第２カバーと、前記電気回路に接続されたスイッチと、前記第１カバーに設けられ、当該第１カバーが閉位置になったときに前記スイッチを操作することが可能な形状を有する操作部材と、前記第２カバーの開閉によって移動することが可能であり、前記第２カバーが開いているときには前記第１カバーが閉まらないように当該第１カバーに干渉する第１位置に移動し、前記第２カバーが閉位置にあるときには前記第１カバーと干渉しない第２位置に移動する干渉部材と、前記干渉部材と前記第２カバーとの間を接続する接続部材とを備え、前記干渉部材は、前記第２カバーに向けて突出し、かつ、前記第２カバーが開閉するときに当該第２カバーから前記干渉部材を移動させる力を受ける入力部を有し、前記接続部材は、前記入力部と前記第２カバーとの間を接続するケーブルであり、前記第２カバーが開くときに、当該第２カバーに連結された前記ケーブルによって、前記干渉部材は前記第１位置に引き出され、前記第２カバーが閉じるときに、前記第２カバーが前記入力部を押して前記干渉部材を前記第２位置に戻すことを特徴とするものである（請求項１）。
【００１０】
かかる構成によれば、本体ケーシングには、第１カバーと第２カバーとが設けられ、第１カバーが閉位置になったときに、第１カバーに設けられた操作部材が本体ケーシングの内部の電気回路に接続されたスイッチを操作することが可能である。また、干渉部材は、第２カバーの開閉によって移動することが可能であり、第２カバーが開いているときには、第１カバーが閉まらないように当該第１カバーに干渉する第１位置に移動し、第２カバーが閉位置にあるときには、第１カバーと干渉しない第２位置に移動する。これにより、第２カバーが閉じていないときには、干渉部材が第１カバーに干渉して第１カバーが閉位置になることができないので、操作部材はスイッチを操作することができない。これにより、異なる複数の第１カバーおよび第２カバーの両方が閉状態のときにはじめて操作部材がスイッチを操作することが可能であり、スイッチの動作の安定化を図ることが可能であり、しかも、スイッチを操作するための複雑なリンク機構が不要であるので、簡単な構成によって製造コストの低減を図ることが可能である。
また、上記の構成によれば、干渉部材が第２カバーに向けて突出する入力部を有しており、第２カバーが開閉するときに当該第２カバーから干渉部材を移動させる力を入力部によって確実に受けることが可能である。しかも、第２カバーを開けたときに、ケーブルからなる接続部材を介して第２カバーを開ける力を入力部に伝達することにより、干渉部材を確実に第１位置へ移動させることが可能である。具体的には、第２カバーが開くときに、当該第２カバーに連結されたケーブルによって、干渉部材は第１位置に引き出され、第２カバーが閉じるときに、第２カバーが入力部を押して干渉部材を第２位置に戻すことが可能である。
【００１１】
また、前記干渉部材は、前記第１カバーに向けて突出し、かつ、前記干渉部材が前記第１位置にあるときに前記第１カバーに当接する当接部を有しているのが好ましい（請求項２）。
【００１２】
かかる構成によれば、干渉部材が第１カバーに向けて突出する当接部を有しており、干渉部材が第１位置にあるときには、当接部が第１カバーに確実に当接することが可能である。
【００１７】
また、前記干渉部材は前記本体ケーシングの内面に向けて突出する凸部をさらに備えており、前記本体ケーシングの内面には、前記凸部を前記第１位置と前記第２位置との間で移動自在に案内するスリットが形成されているのが好ましい（請求項３）。
【００１８】
かかる構成によれば、干渉部材における本体ケーシングの内面に向けて突出する凸部が、本体ケーシングの内面に形成されたスリットにより、第１位置と第２位置との間で移動自在に案内されるので、干渉部材を第１位置と第２位置との間で円滑かつ確実に移動させることが可能である。
【００１９】
また、前記第１カバーが閉まっているときに前記第２カバーの開動作を規制する規制部材をさらに備えているのが好ましい（請求項４）。
【００２０】
かかる構成によれば、第１カバーが閉まっているときに、規制部材によって、第２カバーの開動作を確実に規制することが可能である。
【００２１】
また、前記規制部材は、前記第１カバーに設けられ、前記第２カバーの端部に係合可能な形状を有するのが好ましい（請求項５）。
【００２２】
かかる構成によれば、規制部材は、第１カバーに設けられ、第２カバーの端部に係合可能な形状を有するので、第２カバーが閉まった後に第１カバーを閉めることによって、規制部材は、第２カバーの開動作を規制するように当該第２カバーの端部に係合し、第２カバーを安定して保持することが可能になる。
【００２３】
また、前記第１カバーが前記本体ケーシングの上面に設けられた上部カバーであり、前記第２カバーが前記本体ケーシングの前面に設けられた前部カバーであるのが好ましい（請求項６）。
【００２４】
かかる構成によれば、第１カバーが本体ケーシングの上面に設けられた上部カバーであり、第２カバーが本体ケーシングの前面に設けられた前部カバーであるので、上部カバーおよび前部カバーを両方開けることにより、本体ケーシング内部のユニットを容易に着脱することが可能であり、また、本体ケーシング内部の紙詰まりなどを除去してメンテナンスを容易に行うことが可能である。
【００２５】
また、前記スイッチは、前記本体ケーシング内部の画像形成のためのユニットへの通電を遮断するインターロックスイッチであるのが好ましい（請求項７）。
【００２６】
かかる構成によれば、スイッチとして、本体ケーシング内部の画像形成のためのユニットへの通電を遮断するインターロックスイッチを用いることにより、第２カバーが閉じていないときには、干渉部材が第１カバーに干渉して第１カバーが閉位置になることができず、そのため、操作部材はインターロックスイッチを操作することができない。これにより、本体ケーシング内部の画像形成のためのユニットへの通電を遮断した状態で維持することができる。一方、第２カバーが閉じたときには、干渉部材が第１カバーに干渉しないので第１カバーを閉じることが可能になり、操作部材はインターロックスイッチを操作することができ、それにより、本体ケーシング内部の画像形成のためのユニットへの通電状態へ確実に移行することが可能である。
【発明の効果】
【００２７】
本発明によれば、簡単な機構で、複数のカバーの開閉に連動してスイッチを確実に作動させることができる。これにより、製造コストの低減と安定したスイッチ操作の両方を達成することが可能になる。
【図面の簡単な説明】
【００２８】
【図１】本発明の一実施形態に係る画像形成装置における前部カバーおよび上部カバーを開けた状態を示す斜視図である。
【図２】図１の画像形成装置のロッド付近の部分の拡大斜視図である。
【図３】図１の上部カバーとロッドとが干渉している状態を示す斜視図である。
【図４】図１の前部カバーがロッド先端を押している状態を示す斜視図である。
【図５】図１の画像形成装置における前部カバーおよび上部カバーが閉まった状態においてロッドが第２位置にある状態を示す縦断面図である。
【図６】図１の画像形成装置における前部カバーが開いた状態においてロッドが第１位置にある状態を示す縦断面図である。
【図７】図１の画像形成装置のＢ−Ｂ線断面図であって、前部カバーおよび上部カバーが閉まった状態においてインターロックスイッチがオンの状態を示す図である。
【図８】図１の画像形成装置のＢ−Ｂ線断面図であって、前部カバーが開いた状態においてインターロックスイッチがオフの状態を示す図である。
【発明を実施するための形態】
【００２９】
以下、図面に基づいて、本発明の実施形態につき詳細に説明する。本発明の一実施形態に係る画像形成装置１として、図１にはモノクロプリンターを例示するが、本発明はこれに限定されるものではなく、複写機、ファクシミリ装置、或いは、これらの機能を備える複合機であってもよく、またカラー画像を形成する画像形成装置であっても良い。
【００３０】
図１〜２に示される画像形成装置１は、本体ケーシング２と、上部カバー３と、前部カバー４と、インターロックスイッチ５と、操作片６と、ロッド７と、規制部材８と、ケーブル９とを備えている。
【００３１】
本体ケーシング２は、略直方体形状の筐体である。本体ケーシング２の内部の空間部２ａには、作像ユニットＰや給紙部など種々のユニットなどが収容されている。作像ユニットＰは、給紙部から送り出される用紙にトナー画像を形成する画像形成処理を行う。
【００３２】
また、本体ケーシング２の上面２ｄには、上方に開口する上部開口２ｂが形成されている。さらに、本体ケーシング２の前面２ｅには、前方に開口する前部開口２ｃが形成されている。
【００３３】
さらに、本体ケーシング２の上面２ｄには、操作片６が挿入可能な矩形形状の開口２ｆが形成されている。
【００３４】
上部カバー３は、本体ケーシング２の上面２ｄの上部開口２ｂにおいて、開閉自在に設けられている。上部カバー３は、一対の支持アーム３ａを有しており、これら支持アーム３ａによって案内されながら上下方向に旋回して開閉することができる。
【００３５】
上部カバー３の内面３ｂには、後述する第１位置Ｉにあるロッド７の当接部７ｂ（図５参照）に干渉することが可能な突起１０が突設されている。なお、ロッド７と上部カバー３とが干渉することができれば、突起１０以外の他の構成でもよい。
【００３６】
前部カバー４は、上部カバー３と異なるカバーであって、本体ケーシング２の前面２ｅの前部開口２ｃにおいて、開閉自在に設けられている。前部カバー４は、一対の支持部４ａを有しており、これら支持部４ａを支点として、前後方向に旋回して開閉することができる。
【００３７】
操作片６は、本発明の操作部材に対応する部材であり、上部カバー３の内面３ｂに突出して設けられている。操作片６は、矩形形状の舌片からなり、上部カバー３が閉位置になったときに本体ケーシング２の上面２ｄにある開口２ｆを通して、インターロックスイッチ５のスイッチレバー５ｂ（図７〜８参照）を操作することが可能な長さを有する。
【００３８】
インターロックスイッチ５は、本体ケーシング２の内部の電気回路に接続され、本体ケーシング２内部の画像形成のための作像ユニットＰその他のユニットへの通電を遮断するスイッチである。スイッチ５は、図７〜８に示されるように、スイッチ本体５ａと、スイッチ本体５ａ上部に揺動自在に設けられたスイッチレバー５ｂとを備えている。スイッチレバー５ｂは、スイッチ本体５ａに設けられたバネ（図示せず）によって上方へ旋回する方向へ常時付勢されている。
【００３９】
図７に示されるように、スイッチレバー５ｂが操作片６によって下方に押し下げられているときは、インターロックスイッチ５は、ＯＮの状態になり、作像ユニットＰその他のユニットへ通電されて画像形成装置１が動作可能な状態になる。一方、図８に示されるように、スイッチレバー５ｂが操作片６によって押し下げられないで、上方へ移動したときは、インターロックスイッチ５は、ＯＦＦの状態になり、作像ユニットＰその他のユニットへの通電は遮断されて画像形成装置１は動作できない状態になる。
【００４０】
ロッド７は、本発明の干渉部材に対応する部材である。本実施形態のロッド７は、図５〜６に示されるように、棒状のロッド本体７ａと、ロッド本体７ａから上部カバー３に向けて突出する当接部７ｂと、ロッド７が前部カバー４に向けて突出する入力部７ｃとを備えている。
【００４１】
本実施形態のロッド７は、本体ケーシング２の内部に設けられた感光ドラムユニット（図示せず）のギアカップリングを連結および解除するための操作部材として機能することが可能である。
【００４２】
入力部７ｃは、開口７ｄを有している。ケーブル９の一端は、開口７ｄに挿入された状態で入力部７ｃに連結されている。ケーブル９の他端は、前部カバー４に直接連結されている。ケーブル９は、本発明の接続部材に対応する。
【００４３】
ロッド本体７ａにおける入力部７ｃに対して反対側の端部（図５における左側端部）および中間付近は、ピン１２、１３が設けられている。本体ケーシング２の内部に設けられた取付板１１には、円弧状のスリット１１ａ、１１ｂが形成され、これら円弧状のスリット１１ａ、１１ｂにピン１２、１３が挿入されることによって、ロッド７は、第１位置Ｉ（図６参照）と第２位置ＩＩ（図５参照）との間を往復移動できるように本体ケーシング２の内部に取り付けられている。また、ピン１２は、本体ケーシング２の内部のバネ（図示せず）によって、ロッド７が第１位置Ｉから第２位置ＩＩへ復帰する方向へ常時付勢されている。
【００４４】
図１〜３および図６に示されるように、前部カバー４が開いたときには、ロッド７は、入力部７ｃに連結されたケーブル９によって第１位置Ｉへ引き出される。このとき、当接部７ｂは、上部カバー３に設けられた突起１０に確実に当接することが可能である。
【００４５】
一方、図４〜５に示されるように、前部カバー４が閉じたときには、ロッド７は、入力部７ｃが前部カバー４の内面４ｂに押され、第２位置ＩＩへ戻ることが可能である。
【００４６】
規制部材８は、図１〜２および図５〜６に示されるように、上部カバー３が閉まっているときに前部カバー４の開動作を規制する部材である。本実施形態の規制部材８は、上部カバー３の外側端に設けられた前部カバー４の上端部４ｃをくわえ込むように係合するフランジからなり、上部カバー３と一体に形成されている。
【００４７】
上記のように構成された画像形成装置１では、図１〜２に示されるように、上部カバー３を開けて、上部カバー３の外側端のフランジ状の規制部材８による前部カバー４の開動作の規制を解除し、その後、前部カバー４を開けることにより、本体ケーシング２の上部開口２ｂおよび前部開口２ｃの両方を開放して、画像形成装置１のメンテナンス作業（作像ユニットＰの着脱や紙詰まりの除去など）を行うことができる。
【００４８】
このとき、図６に示されるように、前部カバー４が開いて、当該前部カバー４に連結されたケーブル９によってロッド７が第１位置Ｉに引き出されているので、ロッド７の当接部７ｂが上部カバー３の突起１０に当接するので、上部カバー３は閉じることができなくなっている。このとき、図８に示されるように、上部カバー３に設けられた操作片６は、インターロックスイッチ５のスイッチレバー５ｂを押し下げることができなくなっているので、インターロックスイッチ５はＯＦＦ状態のままになっている。そのため、作像ユニットＰその他のユニットへの通電は遮断されて画像形成装置１は動作できない状態に維持される。
【００４９】
つぎに、上記の２つのカバー３、４を閉じる場合には、上記の開ける動作の逆の手順で閉めていく。まず最初に、前部カバー４を閉じる。このとき、図４に示されるように、前部カバー４がロッド７の先端の入力部７ｃを押してロッド７を図５および図７に示される第２位置ＩＩへ戻すことが可能である。ついで、上部カバー３を閉めることにより、図５に示されるように、上部カバー３の外側端の規制部材８が前部カバー４の上端部４ｃをくわえ込んで保持することにより、前部カバー４の開動作を規制する。
【００５０】
なお、先に上部カバー３を閉め、つぎに前部カバー４を閉める場合には、上部カバー３は前部カバー４が先に閉まるまでは、ロッド７が上部カバー３に干渉している（具体的には、図６に示されるように、ロッド７の当接部７ｂが上部カバーの突起１０に干渉している）ので、上部カバー３は確実には閉まらない位置で退避している。そのため、ユーザーは閉じる順番を気にすることなく、上部カバー３および前部カバー４を閉じる動作をスムーズに行うことが可能である。
【００５１】
（本実施形態の特徴）
（１）
本実施形態の画像形成装置１では、本体ケーシング２には、上部カバー３と前部カバー４とが設けられ、上部カバー３が閉位置になったときに、上部カバー３に設けられた操作片６が本体ケーシング２の内部の電気回路に接続されたインターロックスイッチ５を操作することが可能である。また、前部カバー４の開閉に連動するロッド７は、前部カバー４が開いているときには、上部カバー３が閉まらないように当該上部カバー３に干渉する第１位置Ｉに移動し、前部カバー４が閉位置にあるときには、上部カバー３と干渉しない第２位置ＩＩに移動する。これにより、前部カバー４が閉じていないときには、ロッド７が上部カバー３に干渉して上部カバー３が閉位置になることができないので、操作片６はインターロックスイッチ５を操作することができない。これにより、異なる複数の上部カバー３および前部カバー４の両方が閉状態のときにはじめて共通のインターロックスイッチ５を接続状態にすることが可能であり、上部カバー３および前部カバー４の開閉によるインターロックスイッチ５の動作の安定化を図ることが可能である。しかも、上記の構成では、従来のような２つのカバーの動作に連動するリンク部材を用いないので、構造が簡単になるので、製造コストの低減を図ることが可能である。
【００５２】
（２）
また、本実施形態の画像形成装置１では、ロッド７が上部カバー３に向けて突出する当接部７ｂを有しており、ロッド７が第１位置Ｉにあるときには、当接部７ｂが上部カバー３の突起１０に確実に当接することが可能である。
【００５３】
（３）
また、本実施形態の画像形成装置１では、ロッド７が前部カバー４に向けて突出する入力部７ｃを有しており、前部カバー４が開閉するときに当該前部カバー４からロッド７を移動させる力を入力部７ｃによって確実に受けることが可能である。
【００５４】
（４）
さらに、本実施形態の画像形成装置１では、前部カバー４を開けたときに、ケーブル９からなる接続部材を介して前部カバー４を開ける力をロッド７の入力部７ｃに伝達することにより、ロッド７を確実に第１位置Ｉへ移動させることが可能である。また、ケーブル９を用いることにより、通常のリンク機構と比較して、設置スペースも小さくて済み、製造コストも安価で済む。
【００５５】
（５）
さらに、本実施形態の画像形成装置１では、ロッド７における本体ケーシング２の内面に向けて突出するピン１２、１３などの凸部が、本体ケーシング２内部の取付板１１に形成された円弧状のスリット１１ａ、１１ｂにより、第１位置Ｉと第２位置ＩＩとの間で移動自在に案内されるので、ロッド７を第１位置Ｉと第２位置ＩＩとの間で円滑かつ確実に移動させることが可能である。
【００５６】
（６）
さらに、本実施形態の画像形成装置１では、上部カバー３が閉まっているときに、規制部材８によって、前部カバー４の開動作を規制することが可能である。
【００５７】
（７）
さらに、本実施形態の画像形成装置１では、規制部材８は、上部カバー３の外側端に設けられた前部カバー４をくわえ込むように係合するフランジからなるので、前部カバー４が閉まった後に上部カバー３を閉めることによって、規制部材８は、前部カバー４の開動作を規制するように当該前部カバー４を外側からくわえ込んで、前部カバー４を安定して保持することが可能になる。
【００５８】
また、先に上部カバー３を閉め、つぎに前部カバー４を閉める場合でも、本実施形態では、上部カバー３は前部カバー４が先に閉まるまでは、ロッド７が上部カバー３に干渉しているので、上部カバー３は確実には閉まらない位置で退避している。これにより、上部カバー３および前部カバー４の閉動作においてユーザーが閉じる順番に戸惑うことなくスムーズに開閉動作を行うことが可能である。
【００５９】
（８）
さらに、本実施形態の画像形成装置１では、上部カバー３および前部カバー４を開けることにより、本体ケーシング２内部のユニットを容易に着脱することが容易であり、また、本体ケーシング２内部の紙詰まりなどを除去してメンテナンスを容易に行うことが可能である。
【００６０】
（９）
さらに、本実施形態の画像形成装置１では、本発明のスイッチの一例として、本体ケーシング２内部の画像形成のためのユニットへの通電を遮断するインターロックスイッチ５を用いている。これにより、前部カバー４が閉じていないときには、ロッド７が上部カバー３に干渉して上部カバー３が閉位置になることができず、そのため、操作片６はインターロックスイッチ５を操作することができないので、本体ケーシング２内部の画像形成のためのユニットへの通電を遮断した状態で維持することができる。一方、前部カバー４が閉じたときには、ロッド７が上部カバー３に干渉しないので上部カバー３を閉じることが可能になり、操作片６はインターロックスイッチ５を操作することができ、それにより、本体ケーシング２内部の画像形成のためのユニットへの通電状態へ確実に移行することが可能である。
【００６１】
（１０）
また、本実施形態の画像形成装置１では、上部カバー３が第１位置Ｉにあるロッド７に干渉することが可能な突起１０を有しているので、突起１０が確実にロッド７に干渉することが可能であり、それにより上部カバー３の閉じる動作を確実に禁止することが可能である。
【００６２】
（変形例）
（Ａ）
上記実施形態では、操作部材によって操作されるスイッチの一例として、インターロックスイッチを例にあげて説明しているが、本発明はこれに限定されるものではなく、本体ケーシングの内部の電気回路に接続されたスイッチであればいかなるスイッチでもよく、例えば、上部カバーが正しく閉じていないことを報知するランプなどの報知手段を作動させるためのスイッチであってもよい。
【００６３】
（Ｂ）
上記実施形態では、本発明の干渉部材の一例として棒状部材のロッド７を例に挙げて説明しているが、本発明はこれに限定されるものではなく、第２カバー（前部カバー４）の開閉によって移動することが可能であり、第２カバーが開いているときには第１カバー（上部カバー３）が閉まらないように当該第１カバーに干渉する第１位置に移動し、前記第２カバーが閉位置にあるときには前記第１カバーと干渉しない第２位置に移動することが可能な部材であれば、種々の形状および構造の干渉部材を採用することも可能である。
【００６４】
（Ｃ）
上記実施形態では、ケーブル９が前部カバー４に直接連結されているが、本発明はこれに限定されるものではなく、前部カバー４にコードリールを設けておき、そのコードリールにケーブル９の端部を巻き取るようにしてもよい。その場合、前部カバー４を閉じたときに、余分な長さのケーブル９をコードリールによって巻き取ることが可能である。
【符号の説明】
【００６５】
１  画像形成装置
２  本体ケーシング
３  上部カバー（第１カバー）
４  前部カバー（第２カバー）
５  インターロックスイッチ（スイッチ）
６  操作片（操作部材）
７  ロッド（干渉部材）
８  規制部材
９  ケーブル
【図１】
0005637946.tif 000002
【図２】
0005637946.tif 000003
【図３】
0005637946.tif 000004
【図４】
0005637946.tif 000005
【図５】
0005637946.tif 000006
【図６】
0005637946.tif 000007
【図７】
0005637946.tif 000008
【図８】
0005637946.tif 000009